(57)【特許請求の範囲】
【請求項１】
左右一対のカップ部に、熱成型可能な材料からなるカップ用基材を成型してなるカップ部材が取り付けられたカップ付き女性用衣類であって、
前記カップ部材の内面には、着用状態において乳房の下縁基底線に沿う部分に、ワイヤーをはめ込むためのワイヤー用凹部が設けられており、
前記ワイヤー用凹部に前記ワイヤーをはめ込んで、段差をなくしたことを特徴とするカップ付き女性用衣類。
【請求項２】
左右一対のカップ部に、熱成型可能な材料からなるカップ用基材を成型してなるカップ部材が取り付けられたカップ付き女性用衣類であって、
前記カップ部材の上縁内面に設けられる肩ストラップの取り付け部分には、当該肩ストラップの端部をはめ込むためのストラップ用凹部が設けられており、
前記ストラップ用凹部に前記肩ストラップの端部をはめ込んで、段差をなくしたことを特徴とするカップ付き女性用衣類。
【請求項３】
左右一対のカップ部に、熱成型可能な材料からなるカップ用基材を成型してなるカップ部材が取り付けられたカップ付き女性用衣類であって、
前記カップ部材の上縁内面に設けられる肩ストラップの留め具の取り付け部分には、当該留め具をはめ込むための留め具用凹部が設けられており、
前記留め具用凹部に前記留め具をはめ込んで、段差をなくしたことを特徴とするカップ付き女性用衣類。
【請求項４】
左右一対のカップ部に、熱成型可能な材料からなるカップ用基材を成型してなるカップ部材が取り付けられたカップ付き女性用衣類であって、
前記カップ部材の前中心部内面には、他のカップ部材との連結のための連結部材がはめ込まれる連結部材用凹部が設けられており、
前記連結部材用凹部に前記連結部材をはめ込んで、段差をなくしたことを特徴とするカップ付き女性用衣類。
【請求項５】
前記カップ部材の側縁内面における脇布の取り付け部分には、当該脇布の端部をはめ込むための脇布用凹部が設けられており、
前記脇布用凹部に前記脇布をはめ込んで、段差をなくしたことを特徴とする請求項１〜４のいずれか１項に記載のカップ付き女性用衣類。
【請求項６】
前記カップ部材の縁部内面には、パイピングを施すためのパイピング用凹部が設けられており、
前記パイピング用凹部に前記パイピングを施して、段差をなくしたことを特徴とする請求項１〜５のいずれか１項に記載のカップ付き女性用衣類。
【発明の詳細な説明】
【０００１】
【発明の属する技術分野】
本発明は、ブラジャーのようなカップ付き女性用衣類に関する。
【０００２】
【従来の技術】
ブラジャーなどのカップ部材を有する衣類は、複数の部材を縫着して形成されている。しかし、ワイヤーや肩ストラップ等の各素材を縫着する箇所は厚みが増して突出するため、着用した際に突出部が肌に当たって痛みを感じたり、肌に跡形が付きやすくなる。
【０００３】
そこで、例えば特許第２８５３０９１号公報には、肌側カップ布や外側カップ布でワイヤーを包み込み、ワイヤーと肌との間に複数枚の布を介在させることで、クッションの働きにより肌当たりを柔らかくする技術が開示されている。
【０００４】
【発明が解決しようとする課題】
しかし、特許第２８５３０９１号公報に開示の技術では、肌側カップ布や外側カップ布でワイヤーを包み込む必要があるため、縫製作業が煩雑となって作業性が低下すると共に、包み込み部分が分厚くなることで当該部分に応力が集中するため、肌当たりの悪さが未だ十分には改善されないという問題があった。
【０００５】
そこで本発明は、着け心地の向上を図ることが可能なカップ部材、カップ付き女性用衣類および金型を提供することを目的とする。
【０００６】
【課題を解決するための手段】
本発明のカップ部材は、ポリウレタン、不織布、ダブルラッシェルなどのカップ用基材を成型してなるカップ部材であって、着用状態において乳房の下縁基底線に沿う部分には、ワイヤーをはめ込むためのワイヤー用凹部が設けられている、ことを特徴とする。
【０００７】
このカップ部材では、ワイヤー用凹部にワイヤーをはめ込むことで、ワイヤーによる段差がなくなって、肌当たりの悪さが解消される。
【０００８】
また本発明のカップ部材は、ポリウレタン、不織布、ダブルラッシェルなどのカップ用基材を成型してなるカップ部材であって、当該カップ部材の上縁に設けられる肩ストラップの取り付け部分には、当該肩ストラップの端部をはめ込むためのストラップ用凹部が設けられている、ことを特徴とする。
【０００９】
このカップ部材では、ストラップ用凹部に肩ストラップの端部をはめ込むことで、肩ストラップによる段差がなくなって、肌当たりの悪さが解消される。
【００１０】
また本発明のカップ部材は、ポリウレタン、不織布、ダブルラッシェルなどのカップ用基材を成型してなるカップ部材であって、当該カップ部材の上縁に設けられる肩ストラップの留め具の取り付け部分には、当該留め具をはめ込むための留め具用凹部が設けられている、ことを特徴とする。
【００１１】
このカップ部材では、留め具用凹部に肩ストラップの留め具をはめ込むことで、留め具による段差がなくなって、肌当たりの悪さが解消される。
【００１２】
また本発明のカップ部材は、ポリウレタン、不織布、ダブルラッシェルなどのカップ用基材を成型してなるカップ部材であって、当該カップ部材の前中心部には、他のカップ部材との連結のための連結部材がはめ込まれる連結部材用凹部が設けられている、ことを特徴とする。
【００１３】
このカップ部材では、連結部材用凹部に連結部材をはめ込むことで、当該連結部材による段差がなくなって、肌当たりの悪さが解消される。
【００１４】
また、本発明のカップ部材では、当該カップ部材の側縁における脇布の取り付け部分には、当該脇布の端部をはめ込むための脇布用凹部が設けられている、ことを特徴としてもよい。このようにすれば、脇布による段差がなくなって、肌当たりの悪さが解消される。
【００１５】
また、本発明のカップ部材では、当該カップ部材の縁部には、パイピングを施すためのパイピング用凹部が設けられている、ことを特徴としてもよい。このようにすれば、パイピングによる段差がなくなって、肌当たりの悪さが解消される。
【００１６】
本発明のカップ付き女性用衣類は、左右一対のカップ部に、上記したいずれかの構成のカップ部材が取り付けられていることを特徴とする。
【００１７】
ここでカップ付き女性用衣類には、ブラジャーやボディスーツのようなファンデーション衣類の他に、水着やレオタード等も含まれ、カップ部における肌当たりの悪さの解消を実現したカップ付き女性用衣類を提供することができる。
【００１８】
本発明の金型は、上記したいずれかの構成のカップ部材を成型するためのものである。この金型を用いることにより、カップ部材の成型と同時に、かつ精度良くワイヤー用凹部、ストラップ用凹部、留め具用凹部、連結部材用凹部を成型することが可能となる。
【００１９】
【発明の実施の形態】
以下、添付図面を参照しながら本発明の実施形態について説明する。なお、同一の要素には同一の符号を付し、重複する説明を省略する。
【００２０】
図１は、本発明の実施形態にかかるブラジャー１０を前側から見た斜視図である。
【００２１】
図示のとおり、ブラジャー１０はカップ部材１２、肩ストラップ１４、脇布１６、およびパイピング用の上辺テープ１８、下辺テープ２０、脇上縁テープ２２を備えている。そして、一対のカップ部材１２は、前中心部１２ｄに取り付けられたテープ状連結部材２４を介して連結されている。このブラジャー１０は左右が対称であるため、一方のみについて説明する。
【００２２】
カップ部材１２は、ポリウレタン、不織布、ダブルラッシェルなどからなるシート状のカップ用基材の表裏面に、織布、編物などを重ね合わせたシート状物の積層体を、例えば真空成型法、熱プレス法、発泡成型法あるいは射出成型法などを用いてモールド成型したものである。そして、このようにして成型されたカップ部材１２は、乳房の形状にマッチしたお椀形のカップ１２ａと、土台部１２ｆとを備えている。そしてカップ１２ａは、その上縁に設けられる肩ストラップ取り付け部１２ｂを備えており、また土台部１２ｆは、カップ１２ａ側方から脇側へ伸びる脇部１２ｃ、カップ１２ａ側方から胸部中心側へ伸びる前中心部１２ｄ、及び脇部１２ｃと前中心部１２ｄとを繋ぐアンダー部１２ｅを備えている。なお、カップ用基材としては、上記したものの他にも、ポリエステル、ポリエチレン、ポリプロピレン、ナイロンなど熱成型可能な材料であればいずれのものを用いることができる。
【００２３】
そして、肩ストラップ１４がカップ１２ａの肩ストラップ取り付け部１２ｂに、また脇布１６が土台部１２ｆの脇部１２ｃに取り付けられている。
【００２４】
また、カップ１２ａの肩ストラップ取り付け部１２ｂから土台部１２ｆの前中心部１２ｄに至る前中心側上縁には、裁断面を隠すように上辺テープ１８がパイピングされており、また土台部１２ｆの前中心部１２ｄから脇部１２ｃに至るアンダー部１２ｅの下縁には、裁断面を隠すように下辺テープ２０がパイピングされている。さらに、カップ１２ａの肩ストラップ取り付け部１２ｂから土台部１２ｆの脇部１２ｃに至る脇側上縁には、裁断面を隠すように脇上縁テープ２２がパイピングされている。これら上辺テープ１８、下辺テープ２０、および脇上縁テープ２２は、いずれも布を縫製若しくは接着、あるいは樹脂を縫製若しくは接着若しくははめ込みで取り付けたものである。
【００２５】
このようにして、本実施形態にかかるブラジャー１０が構成されている。
【００２６】
図２は、カップ部材１２を肌側から見た平面図である。本実施形態にかかるブラジャー１０では、カップ部材１２の構造に特徴がある。すなわち、図２に示すように、カップ部材１２の脇部１２ｃからアンダー部１２ｅを通って前中心部１２ｄに至る乳房の下縁基底線（バージスライン）に沿う部分には、カップワイヤー（図３の３２）をバイヤステープ（図３の３４）で被覆したワイヤー体をはめ込むためのワイヤー用凹部３０が弧を描くように設けられている。そして、このワイヤー用凹部３０には、乳房の形状を整えるために金属や合成樹脂、繊維強化合成樹脂などからなるカップワイヤー３２をバイヤステープ３４で被覆したワイヤー体がはめ込まれている。なお、カップワイヤー３２をバイヤステープ３４で被覆することなく、ワイヤー用凹部３０内にカップワイヤー３２を樹脂接着などにより直接固定してもよい。
【００２７】
図３は、図１におけるIII−III線に沿う断面を示す断面図である。図示の通り、ワイヤー用凹部３０にはカップワイヤー３２をバイヤステープ３４により被覆したワイヤー体がはめ込まれている。これにより、ワイヤー体による段差がなくなってカップ部材１２の肌側の面が滑らかになっている。
【００２８】
また、カップ１２ａの肩ストラップ取り付け部１２ｂには、図２及び図４に示すように、肩ストラップ１４の端部をはめ込むためのストラップ用凹部３６が設けられている。これにより、肩ストラップ１４による段差がなくなってカップ部材１２の肌側の面が滑らかになっている。
【００２９】
なお、図１に示すように、本実施形態では肩ストラップ１４がカップ部材１２に直接取り付けられて取り外しができないタイプのブラジャー１０について説明しているが、肩ストラップが取り外し可能なタイプのブラジャーの場合は、先端部にフックを備える肩ストラップ取り付け用の起端布がストラップ用凹部３６にはまり込むように取り付けられる。この変形例も本発明の技術的思想に含まれるものである。
【００３０】
また、カップ部材１２の前中心部１２ｄには、図２及び図５に示すように他のカップ部材との連結のためのテープ状連結部材２４がはめ込まれる連結部材用凹部２６が設けられている。テープ状連結部材２４は、図５に示すように一対の連結テープ２４ａと雌雄のホック部品２４ｂとからなり、ホック部品２４ｂの平板状の基部には連結テープ２４ａの先端部が固着されている。そして、テープ状連結部材２４の連結テープ２４ａが連結部材用凹部２６にはめ込まれている。このテープ状連結部材２４のホック部品２４ｂにより、一対のカップ部材１２が前中心部１２ｄで開閉自在に連結されている。
【００３１】
また、カップ１２ａの肩ストラップ取り付け部１２ｂから土台布１２ｆの前中心部１２ｄに至る前中心側上縁には、図２に示すように上辺テープ１８によりパイピングを施すためのパイピング用凹部３８が形成されている。
【００３２】
図６は、図１におけるVI−VI線に沿う断面を示す断面図である。図示の通り、上辺テープ１８によるパイピング部分には、肌側および前側の両方に、上辺テープ１８の厚み程度のパイピング用凹部３８が形成されており、これらパイピング用凹部３８を跨ぐように上辺テープ１８が縫製若しくは接着若しくははめ込まれている。これによって、上辺テープ１８による段差がなくなってカップ部材１２の肌側および前側の面が滑らかになっている。なお、このパイピング用凹部３８は、カップ部材１２の少なくとも肌側に設けられておればよく、前側に設ける必要はない。
【００３３】
同じように、土台部１２ｆの前中心部１２ｄから脇部１２ｃに至るアンダー部１２ｅの下縁には、下辺テープ２０によりパイピングを施すためのパイピング用凹部４０（図２，図３参照）が、またカップ１２ａの肩ストラップ取り付け部１２ｂから土台部１２ｆの脇部１２ｃに至る脇側上縁には、脇上縁テープ２２によりパイピングを施すためのパイピング用凹部４２（図２参照）が設けられている。これによって、下辺テープ２０および脇上縁テープ２２による段差がなくなり、カップ部材１２の肌側および前側の面が滑らかになっている。なお、これらパイピング用凹部４０，４２は、カップ部材１２の少なくとも肌側に設けられておればよく、前側に設ける必要はない。
【００３４】
さらに、カップ部材１２の脇部１２ｃにおける脇布１６の取り付け部分には、図２及び図７に示すように脇布１６の端部をはめ込むための脇布用凹部４４が設けられている。これにより、脇布１６による段差がなくなってカップ部材１２の肌側の面が滑らかになっている。
【００３５】
なお、上記したワイヤー用凹部３０、ストラップ用凹部３６、連結部材用凹部２６、脇布用凹部４４およびパイピング用凹部３８，４０，４２は、例えば真空成型法あるいは熱プレス法などを用いてカップ部材１２をモールド成型する際に、それら凹部を形成するための凹凸部を有する金型を用いて一体成型すると好ましい。このようにすれば、簡単に、しかも精度良く凹部を形成することができる。
【００３６】
以上、本実施形態では、カップ部材１２の乳房の下縁基底線に沿う部分にワイヤー用凹部３０を有し、当該ワイヤー用凹部３０にワイヤー体がはめ込まれているため、ワイヤー体による段差がなくなって、肌当たりの悪さが解消される。しかも、ワイヤー体がカップ部材１２の前側に露出することがないため、ブラジャー１０のデザイン性を低下させることがない。
【００３７】
また、本実施形態では、カップ部材１２の肩ストラップ取り付け部１２ｂにストラップ用凹部３６を有し、当該ストラップ用凹部３６に肩ストラップ１４の端部がはめ込まれているため、肩ストラップ１４による段差がなくなって、肌当たりの悪さが解消される。しかも、肩ストラップ１４の取り付け部分がカップ部材１２の前側に露出することがないため、ブラジャー１０のデザイン性を低下させることがない。
【００３８】
また、本実施形態では、カップ部材１２の前中心部１２ｄに連結部材用凹部２６を有し、当該連結部材用凹部２６に連結部材２４がはめ込まれているため、連結部材２４による段差がなくなって、肌当たりの悪さが解消される。しかも、連結部材２４の取り付け部分がカップ部材１２の前側に露出することがないため、ブラジャー１０のデザイン性を低下させることがない。
【００３９】
また、同じくカップ部材１２の縁部には、上辺テープ１８、下辺テープ２０および脇上縁テープ２２によりパイピングを施すためのパイピング用凹部３８，４０，４２が設けられており、当該パイピング用凹部３８，４０，４２にそれら上辺テープ１８、下辺テープ２０および脇上縁テープ２２がパイピングされているため、パイピングによる段差がなくなって肌当たりの悪さが解消される。
【００４０】
また、同じくカップ部材１２の脇布１６の取り付け部分には脇布用凹部４４が設けられており、当該脇布用凹部４４に脇布１６の端部がはめ込まれているため、脇布１６による段差がなくなって肌当たりの悪さが解消される。しかも、脇布１６の取り付け部分がカップ部材１２の前側に露出することがないため、ブラジャー１０のデザイン性を低下させることがない。
【００４１】
なお、本発明は上記した実施形態に限定されることなく、種々の変形が可能である。
【００４２】
例えば、図８に示すように、肩ストラップが取り外し可能なタイプのブラジャー１０であって、樹脂製等の留め具５０がカップ部材１２に直接取り付けられる場合は、留め具５０をはめ込むための留め具用凹部５２を設け、当該留め具用凹部５２に留め具５０をはめ込むことで肌側の面の段差をなくすようにしてもよい。このようにすれば、留め具５０による段差がなくなって、肌当たりの悪さが解消される。しかも、留め具５０の取り付け部分がカップ部材１２の前側に露出することがないため、ブラジャー１０のデザイン性を低下させることがない。
【００４３】
なお、留め具５０としては、図９に示すように布を２つ折りにして輪を形成してなるものもある。この留め具５０では、ストラップ１４の端部に取り付けられた略コ字状をなす樹脂や金属製等のフック６０が、当該留め具５０の輪に挿通される。かかる構成の留め具５０では、布を２つ折りして縫着してなる基部５０ａが留め具用凹部５２にはめ込まれる。
【００４４】
また本実施形態では、型くずれ防止のためにカップ部材１２のカップ１２ａにもワイヤーを入れる場合は、ワイヤーを入れる部分に凹部を設けてもよい。すなわち、他の部材を縫着する部分に凹部を設けるようにすれば、肌側の段差をなくして肌当たりの悪さを解消することができる。
【００４５】
また、本実施形態では左右一対のカップ部材１２がテープ状連結部材２４を介して連結されるフロントホックのブラジャー１０について説明したが、連結部材は前中心部で一対のカップ部材１２を開閉するためのものに限定されず、単に左右一対のカップ部材１２を連結するに過ぎない構造のものも含まれる。例えば、左右一対のカップ部材１２を単に連結するに過ぎない場合は、連結部材は一本のテープ状の布であってもよい。この場合は、テープ状の布の両端が連結部材用凹部２６にはめ込まれる。また、例えば一対のカップ部材１２を開閉するためのものではないが、連結部材がスライド機能を有して一対のカップ部材１２間の距離を調節し得る構造のものであってもよい。この場合も、連結部材の両端が連結部材用凹部２６にはめ込まれる。
【００４６】
また、本実施形態ではワイヤー用凹部３０、ストラップ用凹部３６、連結部材用凹部２６、および脇布用凹部４４は、全てカップ部材１２の肌側の面に設けられているが、カップ部材１２の外側の面にこれら凹部を設けてもよい。このようにすれば、肌側の面はフラットになり着け心地の向上が図られる。この場合、カップ部材１２の外側の面にカップワイヤー３２などが取り付けられるため、ブラジャー１０のデザイン性が低下するが、カップワイヤー３２などは凹部にはめ込まれて外側の面もフラットになるため、化粧布等によりカップ部材１２の外側の面を被覆しやすくなる。
【００４７】
また、本実施形態ではシームレスタイプのカップ部材１２について説明したが、二枚接ぎ、三枚接ぎ等と称する様々な部材を接いで形成するタイプのカップ部材１２にも本発明を適用することができることは言うまでもない。すなわち、本実施形態では、カップ部材１２としてカップ１２ａと土台部１２ｆとを一体成型してなるものについて説明したが、これに限らずカップ１２ａと土台部１２ｆとを別々に成型してこれらを接ぎ合わせてカップ部材１２を構成してもよい。
【００４８】
さらに、カップ用基材をモールド成型してカップ１２ａのみを形成し、当該カップ１２ａの下部に布製の土台部１２ｆを縫着してカップ部材１２を構成してもよい。この場合、ワイヤー用凹部３０、ストラップ用凹部３６、パイピング用凹部３８，４２はカップ１２ａに設けられる。また土台部１２ｆの下縁にはゴム等によって伸縮性を備えるようにされたアンダーテープが縫着される。
【００４９】
なお、特開平８−６０４１０号公報には、当該公報掲載の図４に示すように、カップ周辺へ向かって厚みが減少するようにカップの厚みを変化させたカップ部材が開示されている。このカップ部材は、一見すると本発明のカップ部材に類似すると思われるが、実際は全く構成の異なるものである。
【００５０】
すなわち、本発明の実施形態にかかるカップ部材は、あくまで他の部材をはめ込むための「凹部」を有している点に特徴があり、当該凹部にワイヤー体や肩ストラップ、上下辺テープなどをはめ込むことで、肌側の面を滑らかにして肌当たりの悪さを解消している。これに対し、特開平８−６０４１０号公報に開示のカップ部材は、カップ周辺で単に厚みが減少しているだけであるため、上下辺テープによりパイピングを施した場合は肌側の面に段差ができてしまい、肌当たりの悪さが残ってしまう。
【００５１】
このように本発明の実施形態にかかるカップ部材によれば、特開平８−６０４１０号公報に開示のカップ部材と比較して、肌当たりの悪さを解消して着心地のよいブラジャーを提供することができる。
【００５２】
【発明の効果】
本発明のカップ部材では、乳房の下縁基底線に沿う部分にワイヤー用凹部が設けられている。従って、本発明のカップ部材によれば、当該ワイヤー用凹部にワイヤーをはめ込むことが可能となるため、ワイヤーによる段差がなくなり肌当たりの悪さを解消して着け心地の向上を図ることができる。
【００５３】
また本発明のカップ部材では、肩ストラップの取り付け部分にストラップ用凹部が設けられている。従って、本発明のカップ部材によれば、当該ストラップ用凹部に肩ストラップの端部をはめ込むことが可能となるため、肩ストラップによる段差がなくなり肌当たりの悪さを解消して着け心地の向上を図ることができる。
【００５４】
また、本発明のカップ部材では、肩ストラップの留め具の取り付け部分に留め具用凹部が設けられている。従って、本発明のカップ部材によれば、当該留め具用凹部に留め具をはめ込むことが可能となるため、留め具による段差がなくなり肌当たりの悪さを解消して着け心地の向上を図ることができる。
【００５５】
また、本発明のカップ部材では、前中心部に連結部材用凹部が設けられている。従って、本発明のカップ部材によれば、当該連結部材用凹部に連結部材をはめ込むことが可能となるため、連結部材による段差がなくなり肌当たりの悪さを解消して着け心地の向上を図ることができる。
【００５６】
また本発明のカップ付き女性用衣類は、本発明のカップ部材を備えているため、肌当たりの悪さを解消して着け心地の向上を実現したカップ付き女性用衣類の提供が可能となる。
【００５７】
また本発明の金型によれば、上記したワイヤー用凹部またはストラップ用凹部または留め具用凹部または連結部材用凹部を有するカップ部材を容易に成型することが可能となる。
【図面の簡単な説明】
【図１】本発明の実施形態にかかるブラジャーを示す斜視図である。
【図２】カップ部材を肌側からみた平面図である。
【図３】図１のIII−III線断面図である。
【図４】カップ部材のストラップ用凹部を示す斜視図である。
【図５】カップ部材の連結部材用凹部を示す斜視図である。
【図６】図１のＶI−ＶI線断面図である。
【図７】カップ部材の脇布用凹部を示す斜視図である。
【図８】カップ部材の留め具用凹部を示す斜視図である。
【図９】カップ部材の留め具用凹部を示す斜視図である。
【符号の説明】
１０…ブラジャー、１２…カップ部材、１２ｄ…前中心部、１４…肩ストラップ、１６…脇布、１８…上辺テープ、２０…下辺テープ、２２…脇上縁テープ、２４…テープ状連結部材、２６…連結部材用凹部、３０…ワイヤー用凹部、３２…カップワイヤー、３６…ストラップ用凹部、３８，４０，４２…パイピング用凹部、４４…脇布用凹部、５０…留め具、５２…留め具用凹部。
【図１】
0003793678.tif 000002
【図２】
0003793678.tif 000003
【図３】
0003793678.tif 000004
【図４】
0003793678.tif 000005
【図５】
0003793678.tif 000006
【図６】
0003793678.tif 000007
【図７】
0003793678.tif 000008
【図８】
0003793678.tif 000009
【図９】
0003793678.tif 000010